(57)【要約】      （修正有）【課題】ユーザが記録操作の空き容量を任意のタイミングで確認することができ、録画の成否を判断することができる画像処理サーバ。【解決手段】ＳＴＢやプレーヤとサーバがネットワークで接続されてシステムを形成しており、このサーバが録画機器として機能する。サーバでは、ＳＴＢからの番組情報が録画データとして記録され、また、録画データのタイトルなどの一覧を表わす番組情報データベースを記録するストレージが設けられており、この番組情報データベースにストレージの録画データに対する空き容量を表わす情報が付加されている。かかる番組情報データベースは、端末機器から要求があると、番組情報データベース取得受付処理ユニットで読み取られ、要求があった端末機器に供給される。この端末機器では、この番組情報データベースをもとに、録画データの一覧画面が作成されて表示装置で表示され、このとき、同時にストレージの空き容量も表示される。【選択図】図５
2011135472.tif 000002
【特許請求の範囲】
【請求項１】
録画データと該録画データの番組関連情報が登録された番組情報データベースとが記録されたストレージと、
録画指示機能を有する端末から録画要求に応じて、該端末からの画像情報を、該録画データとして、該ストレージに記録する録画処理ユニットと、
端末からの要求により、該ストレージから該番組情報データベースを読み取り、要求があった該端末に供給する番組データベース取得受付ユニットと、
端末からの再生要求に応じて、該ストレージから要求される録画データを再生し、再生要求があった該端末に供給する再生処理ユニットと
を備え、
該番組情報データベースには、該ストレージの該録画データに対する空き容量を表わす情報が含まれ、
該録画処理ユニットは、端末からの画像情報を、録画データとして、該ストレージに記録する毎に、該番組情報データベースでの該ストレージの該空き容量を表す情報を更新する
ことを特徴とする画像処理サーバ装置。
【請求項２】
請求項１において
前記録画処理ユニットは、前記録画データを前記ストレージに記録する毎に、前記ストレージの前記空き容量の詳細を表わす空き容量詳細情報を作成し、前記番組情報データベースでの前記空き容量を表わす情報と関連付けて前記ストレージに記録し、
前記番組情報データベース取得受付ユニットは、前記番組情報データベースを供給した前記端末からの要求により、該空き容量詳細情報を該ストレージから読み取って供給する
ことを特徴とする画像処理サーバ装置。
【請求項３】
録画データと該録画データの番組関連情報が登録された番組情報データベースとが記録されたストレージと、
録画指示機能を有する端末から録画要求に応じて、該端末からの画像情報を、該録画データとして、該ストレージに記録する録画処理ユニットと、
端末からの要求により、該ストレージから該番組情報データベースを読み取り、要求があった該端末に供給する番組データベース取得受付ユニットと、
端末からの再生要求に応じて、該ストレージから要求される録画データを再生し、再生要求があった該端末に供給する再生処理ユニットと
を備え、
該番組情報データベースは、該ストレージの該録画データに対する空き容量を表わす情報が含まれない第１の番組情報データベースと、該ストレージの該録画データに対する空き容量を表わす情報が含まれる第２の番組情報データベースとの２種類があり、
該録画処理ユニットは、端末からの画像情報を、録画データとして、該ストレージに記録する毎に、該第２の番組情報データベースでの該ストレージの該空き容量を表す情報を更新し、
該番組データベース取得受付ユニットは、番組情報データベースを要求する端末が録画指示機能を持たない端末であるときには、該端末に該第１の番組情報データベースを供給し、番組情報データベースを要求する端末が録画指示機能を持つ端末であるときには、該端末に該第２の番組情報データベースを供給する
ことを特徴とする画像処理サーバ装置。
【請求項４】
請求項３において
前記録画処理ユニットは、前記録画データを前記ストレージに記録する毎に、前記ストレージの前記空き容量の詳細を表わす空き容量詳細情報を作成し、前記第２の番組情報データベースでの前記空き容量を表わす情報と関連付けて前記ストレージに記録し、
前記番組情報データベース取得受付ユニットは、前記第２の番組情報データベースを供給した前記端末からの要求により、該空き容量詳細情報を該ストレージから読み取って供給する
ことを特徴とする画像処理サーバ装置。
【請求項５】
ストレージを備えた画像処理サーバ装置の処理方法であって、
該ストレージに、録画データが記録されるとともに、該録画データの番組関連情報と該ストレージの空き容量を表わす情報とが登録された番組情報データベースが記録され、
録画指示機能を有する端末からの画像情報の録画要求に応じて、該画像情報を、該録画データとして、該ストレージに記録するとともに、該ストレージの空き容量を求めて該番組情報データベースの該ストレージの空き容量を表わす情報を更新し、
端末からの要求により、該ストレージから該番組情報データベースを読み取って、要求があった該端末に供給し、
端末からの再生要求に応じて、該ストレージから要求される録画データを再生し、再生要求があった該端末に供給する
ことを特徴とする画像処理サーバ装置の処理方法。
【請求項６】
請求項５において
前記録画データを前記ストレージに記録する毎に、前記ストレージの前記空き容量の詳細を表わす空き容量詳細情報を作成して、前記番組情報データベースでの前記空き容量を表わす情報と関連付けて前記ストレージに記録し、
前記番組情報データベースを供給した前記端末からの要求により、該空き容量詳細情報を前記ストレージから読み取って供給する
ことを特徴とする画像処理サーバ装置の処理方法。
【請求項７】
ストレージを備えた画像処理サーバ装置の処理方法であって、
該ストレージに、録画データが記録されるとともに、該録画データの番組関連情報が登録された番組情報データベースとして、該ストレージの該録画データに対する空き容量を表わす情報が含まれない第１の番組情報データベースと、該ストレージの該録画データに対する空き容量を表わす情報が含まれる第２の番組情報データベースとが記録され、
録画指示機能を有する端末から録画要求に応じて、該端末からの画像情報を、該録画データとして、該ストレージに記録するとともに、該第２の番組情報データベースでの該ストレージの該空き容量を表す情報を更新し、
録画指示機能を持たない端末からの要求により、該ストレージから該第１の番組情報データベースを読み取って該端末に供給し、録画指示機能を持つ端末からの要求により、該ストレージから該第２の番組情報データベースを読み取って該端末に供給し、
端末からの再生要求に応じて、該ストレージから要求される録画データを再生し、再生要求があった該端末に供給する
ことを特徴とする画像処理サーバ装置の処理方法。
【請求項８】
請求項７において
前記録画データを前記ストレージに記録する毎に、前記ストレージの前記空き容量の詳細を表わす空き容量詳細情報を作成して、前記第２の番組情報データベースでの前記空き容量を表わす情報と関連付けて前記ストレージに記録し、
前記第２の番組情報データベースを供給した前記端末からの要求により、該空き容量詳細情報を前記ストレージから読み取って供給する
ことを特徴とする画像処理サーバ装置の処理方法。
【発明の詳細な説明】
【技術分野】
【０００１】
本発明は、映像情報や音声情報の記録，再生に係り、特に、ネットワーク上でのかかる情報（以下では、映像情報や音声情報を伴う映像情報を、総称して、画像情報という）を記録，再生する画像処理サーバ装置及びその処理方法に関する。
【背景技術】
【０００２】
近年、ネットワークの普及・広帯域化やデジタル放送を始めとするデジタル映像・音声技術の発展により、家庭内で用いられるネットワークプロトコルとして、家庭内で用いられる機器相互の接続のためのＤＬＮＡ（Digital Living Network Alliance）や、著作権保護のためのＤＴＣＰ−ＩＰ（Digital Transmission Content Protection over Internet Protocol）が提案され、これらに対応する機器も普及してきている。
【０００３】
これに関連して、ローカルエリアネットワーク上でのテレビ放送番組の録画予約システムとして、複数台の録画再生装置が設けられ、そのうちのいずれかで録画予約する場合、録画予約装置が夫々の録画再生装置の空き容量や録画予約などの動作状況を監視しており、ユーザからの録画予約要求があると、録画予約装置が最適な録画再生装置を選択して録画予約を指示するようにした技術が提案されている（例えば、特許文献１参照）。
【先行技術文献】
【特許文献】
【０００４】
【特許文献１】特開２００７−１７３９１８号公報
【発明の概要】
【発明が解決しようとする課題】
【０００５】
ところで、家庭内でのネットワークプロトコルとして、ＤＬＮＡを想定した場合、同じＤＬＮＡ機器が番組の視聴や録画，再生といった機能を全て備える必要はなく、夫々の機器が必要とする機能のみを備えていればよい。
【０００６】
このような場合、ＤＬＮＡ機器としては、録画機器に記録された番組を再生機器で再生する際には、一般的には、この録画機器に記録されている番組のタイトルの一覧リストを取得し、この一覧リストから再生を希望する番組のタイトルを選択して再生するのが普通であるが、録画機器に放送番組を記録する場合には、記録機器の空き容量を確認し、この放送番組をこの録画機器に記録できるか否かを判断することができることが必要である。
【０００７】
上記特許文献１に記載の技術では、録画予約装置が各録画再生装置の録画状況を監視し、最適な録画再生装置を選択してこれに放送番組の録画を行なわせるものであるが、いずれの録画再生装置で空き容量が不足している場合、特に、この録画再生装置が１台である場合には、ユーザが録画予約すると、録画予約装置がこの録画再生装置の状況を判断し、空き容量がないとして、この録画予約はキャンセルされ、ユーザのこの録画予約のための操作が全く無駄なものとなる。
【０００８】
本発明は、かかる点に鑑みてなされたものであって、その目的は、ユーザが記録操作の空き容量を任意のタイミングで確認することができ、録画の成否を判断することができるようにした画像処理サーバ装置及びその処理方法を提供することにある。
【課題を解決するための手段】
【０００９】
上記目的を達成するために、本発明による画像処理サーバ装置は、録画データと録画データの番組関連情報が登録された番組情報データベースとが記録されたストレージと、録画指示機能を有する端末から録画要求に応じて、端末からの画像情報を、録画データとして、ストレージに記録する録画処理ユニットと、端末からの要求により、ストレージから番組情報データベースを読み取り、要求があった端末に供給する番組データベース取得受付ユニットと、端末からの再生要求に応じて、ストレージから要求される録画データを再生し、再生要求があった端末に供給する再生処理ユニットとを備え、番組情報データベースには、ストレージの録画データに対する空き容量を表わす情報が含まれ、録画処理ユニットは、端末からの画像情報を、録画データとして、ストレージに記録する毎に、番組情報データベースでのストレージの空き容量を表す情報を更新する。
【発明の効果】
【００１０】
本発明によると、ストレージに記録される録画データの一覧を表わす番組情報データベースにこのストレージの空き容量も登録されているので、ユーザ側では、かかる番組情報データベースによってストレージでの録画データの確認をするときに、このストレージでの録画データに対する空き容量も確認することができる。
【図面の簡単な説明】
【００１１】
【図１】画像処理サーバ装置及びその処理方法を用いた画像記録・再生システムの一具体例を示すシステム構成図である。
【図２】図１におけるＳＴＢ２の一具体例を示すブロック構成図である。
【図３】図１におけるプレーヤ６の一具体例を示すブロック構成図である。
【図４】図１におけるサーバ１の第１の実施形態を示すブロック構成図である。
【図５】図１に示すサーバ１の第１の実施形態での内部処理システムの一具体例を示すブロック構成図である。
【図６】図５における番組情報データベース４１の一具体例を示す図である。
【図７】図５における要求判定処理部４２の判定処理動作の一具体例を示すフローチャートである。
【図８】図５における録画処理部４３の録画処理動作の一具体例を示すフローチャートである。
【図９】図５における番組情報データベース取得受付処理部４４の処理動作の一具体例を示すフローチャートである。
【図１０】図６に示す番組情報データベース４１を基に作成されてＳＴＢ２やプレーヤ６によってテレビ４，５で表示される録画データリスト画面の一具体例を示す図である。
【図１１】図５における再生処理部４５の再生処理動作の一具体例を示すフローチャートである。
【図１２】図１におけるサーバ１としての画像処理サーバ装置及び処理方法の第２の実施形態での図５における録画処理部４３の録画処理動作の一具体例を示すフローチャートである。
【図１３】画像処理サーバ装置及び処理方法の第２の実施形態での図５における番組情報データベース４１の一具体例を示す図である。
【図１４】画像処理サーバ装置及び処理方法の第２の実施形態での空き容量詳細情報が表示される空き容量詳細情報画面の一具体例を示す図である。
【図１５】図１に示すサーバ１としての画像処理サーバ装置の第３の実施形態での内部処理システムの一具体例を示すブロック構成図、７０は端末データベース作成処理部、７１は端末データベースである。
【図１６】図１５における番組情報データベース４１1の一具体例を示す図である。
【図１７】図１５における番組情報データベース４１2の一具体例を示す図である。
【図１８】図１５における端末データベース作成処理部７０の端末データベース作成処理動作の一具体例を示すフローチャートである。
【図１９】図１５における録画処理部４３ａの録画処理動作の一具体例を示すフローチャートである。
【図２０】図１５における番組情報データベース取得受付処理部４４ａの処理動作の一具体例を示すフローチャートである。
【図２１】図１６，図１７に示す番組情報データベース４１1，４１2を基に作成されてＳＴＢ２やプレーヤ６によってテレビ４，５で表示される録画データリスト画面の一具体例を示す図である。
【発明を実施するための形態】
【００１２】
以下、実施形態を図面により説明する。
【００１３】
《第１の実施形態》
まず、画像処理サーバ装置及びその処理方法を用いた画像記録・再生システムについて説明する。
【００１４】
図１は画像処理サーバ装置及びその処理方法を用いた画像記録・再生システムの一具体例を示すシステム構成図であって、１は本発明による画像処理サーバ装置（以下、単にサーバという）、２はＳＴＢ（セット アップ ボックス(Set Top Box)）、３はアンテナ、４，５はテレビ（表示装置）、６はプレーヤ、７はレコーダ、８はパソコン、９はネットワークである。
【００１５】
同図において、宅内（家庭内など）にネットワーク９が配線されており、これに同じ宅内に設置されて使用されるＳＴＢ２やプレーヤ６，レコーダ７，パソコン８などの機器（以下、これらを総称する場合、サーバに対して、端末機器という）が接続され、さらに、サーバ１も、ＳＴＢ２やパソコン８などからの画像情報（テレビ番組の映像情報や音声情報など）を記録可能に、このネットワーク９に接続されて、画像ネットワークシステムが構成されている。また、ＳＴＢ２には、表示装置としてのテレビ４が接続され、プレーヤ６には、表示装置としてのテレビ５が接続されている。
【００１６】
かかるシステムにおいては、表示装置としてのテレビ４，５はテレビ番組などの表示（視聴）機能のみを有するものであり、ＳＴＢ２はテレビ番組の選局・受信機能やテレビ４での再生表示指示機能，サーバ１への録画指示機能を有し、プレーヤ６はテレビでの再生表示指示機能のみを有している。サーバ１は、ＳＴＢ２の録画要求のもとに、ＳＴＢ２でアンテナ３から受信されてネットワーク９を介して供給される受信番組の画像情報を記録し、また、ＳＴＢ２やプレーヤ６の再生要求のもとに、再生指示された画像情報を再生してＳＴＢ２やプレーヤ６に配信し、テレビ４，５で視聴することができるようにする。
【００１７】
また、レコーダ７は画像情報のメモリカードなどのリムーバブルメディアでの記録再生機能を有しており、ＳＴＢ２やプレーヤ６からサーバ１での所望画像情報を指定してレコーダ７での記録指示があると、ＳＴＢ６はこの指定された画像情報を再生し、ネットワーク９を介してレコーダ７に供給する。これにより、サーバ１に記録されているこの画像情報がレコーダ７でリムーバブルメディアに記録される。あるいはまた、ＳＴＢ２やプレーヤ６からレコーダ７に装着されたリムーバブルメディアに記録されている所望画像情報を指定してサーバ１への記録指示があると、この画像情報がこのリムーバブルメディアから再生され、サーバ１に供給されて記録される。
【００１８】
さらに、パソコン８では、その画像情報をサーバ１に記録する指示を行なうこともでき、かかる記録指示があると、パソコン８からの画像情報がネットワーク９を介してサーバ１に供給されて記録される。サーバ１に記録されてかかるパソコン８の画像情報も、ＳＴＢ２で受信された番組の画像情報と同様、ＳＴＢ２やプレーヤ６の再生要求により、サーバ１から再生してテレビ４，５で表示させることができるし、パソコン８で読み取って再生させるようにすることもできる。
【００１９】
このように、サーバ１では、ＳＴＢ２で受信された番組の画像情報やレコーダ７に装着されたリムーバブルメディアに記録されている画像情報、パソコン８からの画像情報を記録して保存することができ、また、また、サーバ１に保存されているこれら画像情報を、テレビ４，５やパソコン８で視聴することができるし、レコーダ７でリムーバブルメディアに記録することができる。テレビ４，５やパソコン８で視聴される画像情報やレコーダ７でリムーバブルメディアに記録される画像情報は、ＳＴＢ２からの画像情報やレコーダ７，パソコン８からの画像情報のいずれでもよい。
【００２０】
なお、以下では、ＳＴＢ２やテレビ４，５、プレーヤ６、サーバ１について説明するが、レコーダ７，パソコン８についても同様である。なお、図１に図示していないが、端末機器として、携帯端末もネットワーク９に接続可能とすることができ、パソコン８と同様に用いるようにすることもできる。
【００２１】
次に、図１におけるＳＴＢ２やプレーヤ６などの具体例について説明する。
【００２２】
図２は図１におけるＳＴＢ２の一具体例を示すブロック構成図であって、１０はチューナ、１１はＣＰＵ（中央処理ユニット）、１２はＲＯＭ（リード オンリ メモリ）、１３はＲＡＭ（ランダム アクセス メモリ）、１４はデコーダ、１５は入出力Ｉ／Ｆ（インタフェース）、１６はネットワークＩ／Ｆである。
【００２３】
同図において、ＳＴＢ２は、アンテナ３（図１）に接続されたチューナ１０と、各部の動作制御を行なうＣＰＵ１１と、ＣＰＵ１１が各部を動作制御するために実行するプログラムが格納されているＲＯＭ１２と、ＣＰＵ１１がＲＯＭ１２でプログラムを実行するために用いられるＲＡＭ１３と、チューナ１０で選局されたチャンネルの画像情報をデコードするデコーダ１４と、リモコンなどからのユーザの操作信号が入力される入出力Ｉ／Ｆ１５と、ネットワーク９（図１）に接続され、ネットワーク９との間で情報のやり取りをするネットワークＩ／Ｆ１６とから構成されている。
【００２４】
ＳＴＢ２では、ＣＰＵ１１の動作制御のもとに、入出力Ｉ／Ｆからのユーザの指示に応じて、テレビ４を用いた放送番組などの画像情報の視聴動作やサーバ１（図１）への放送番組の録画動作，サーバ１からの録画番組の再生動作が行なわれる。
【００２５】
受信放送番組の視聴動作は次のように行なわれる。
【００２６】
即ち、入出力Ｉ／Ｆ１５からユーザのリモコンなどによる電源オン操作が入力されると、ＣＰＵ１１はＳＴＢ２の電源とテレビ４の電源をオンし、チューナ１０とデコーダ１４とを動作開始させる。これにより、チューナ１０はそのときに設定される選局チャンネルの放送番組をアンテナ３から受信して選局し、デコーダ１４に出力する。また、入出力Ｉ／Ｆ１５からユーザのリモコンなどによって所望チャンネルの選局操作が入力されると、ＣＰＵ１１の制御により、チューナ１０はこの指定された所望チャンネルの選局状態に設定され、これにより、このチャンネルの放送番組がチューナ１０で選局されてデコーダ１４に出力される。デコーダ１４では、チューナ１０で受信された放送番組の画像情報がデコーダされ、テレビ４に供給される。これにより、チューナ１０で受信された放送番組がテレビ４で視聴される。
【００２７】
受信放送番組の録画動作は次のように行なわれる。
【００２８】
即ち、かかる録画動作は、入出力Ｉ／Ｆ１５からユーザのリモコンなどによる録画操作の入力やＲＡＭ１３に記録されている録画予約情報（これは、電子番組表（ＥＰＧ）を用いて入出力Ｉ／Ｆ１５からのユーザの操作によって作成される）を基に行なわれるものであって、入出力Ｉ／Ｆ１５からユーザのリモコンなどによる録画操作の入力があった場合には、現在チューナ１０で受信されてテレビ４で視聴されている放送番組の画像情報がネットワークＩ／Ｆ１６からネットワーク９（図１）に出力されるものであり、ＲＡＭ１３に録画予約情報が記録されており、この録画予約情報を基にＣＰＵ１１が録画予約すべき放送番組の放送時刻になると、ＣＰＵ１１はＳＴＢ２の電源をオンし、チューナ１０をこの録画予約の放送番組のチャンネルを選局する状態に設定し、これにより、チューナ１０で受信選局されたこの録画予約の放送番組の画像情報がネットワークＩ／Ｆ１６からネットワーク９（図１）に出力される。ネットワーク９では、ネットワーク１６から出力される画像情報をサーバ１（図１）に転送し、このサーバ１に録画させる。
【００２９】
サーバ１からの録画番組などの画像情報の再生動作は次のように行なわれる。
【００３０】
即ち、ＳＴＢ２が電源オンの状態にあるときに、入出力Ｉ／Ｆからユーザのリモコンなどによる再生操作の入力があると、ＣＰＵ１１はネットワークＩ／Ｆ１６からネットワーク９を介してサーバ１に再生要求を送信し、この要求に応じてサーバ１からネットワーク９を介して送られてくる再生要求した再生画像情報をネットワークＩ／Ｆ１６で受信する。受信されたこの再生画像情報はデコーダ１４でデコードされてテレビ４に供給される。これにより、サーバ１に記録されている所望の画像情報を再生してテレビ４で視聴することができる。ここで、サーバ１から提供されてテレビ４で視聴できる画像情報としては、ＳＴＢ２からサーバ１に記録された放送番組の画像情報であることは勿論のこと、レコーダ７のリムーバブルメディアから再生されてサーバ１に記録されて画像情報でもあるし、また、パソコン８から提供されてサーバ１に記録された画像情報でもある。
【００３１】
図３は図１におけるプレーヤ６の一具体例を示すブロック構成図であって、２０はＣＰＵ、２１はＲＯＭ、２２はＲＡＭ、２３はデコーダ、２４は入出力Ｉ／Ｆ、２５はネットワークＩ／Ｆである。
【００３２】
同図において、プレーヤ６は、各部の動作制御を行なうＣＰＵ２０と、ＣＰＵ２０が各部を動作制御するために実行するプログラムが格納されているＲＯＭ２１と、ＣＰＵ２０がＲＯＭ２１でプログラムを実行するために用いられるＲＡＭ２２と、ネットワーク９（図１）に接続され、ネットワーク９との間で情報のやり取りをするネットワークＩ／Ｆ２５と、ネットワーク９を介して受信されたサーバ１（図１）からの再生画像情報をデコードし、テレビ５に供給するデコーダ２３と、リモコンなどからのユーザの操作信号が入力される入出力Ｉ／Ｆ２４とから構成されている。
【００３３】
プレーヤ６では、入出力Ｉ／Ｆ２４からのユーザの再生要求操作指示に応じて、ＣＰＵ２０の動作制御のもとに、サーバ１からの録画番組などの画像情報の再生動作が行なわれる。
【００３４】
このサーバ１からの画像情報の再生動作は、次のように行なわれる。
【００３５】
入出力Ｉ／Ｆ２４からユーザのリモコンなどによる画像情報の再生要求が入力されると、ＣＰＵ２０の制御のもとに、ＣＰＵ２０でこの画像情報の再生要求情報が作成され、ネットワーク２５からネットワーク９を介してサーバ１に送られる。サーバ１では、この要求される画像情報を再生し、ネットワーク９に出力する。この再生された画像情報はネットワークＩ／Ｆ２５で受信され、デコーダ２３でデコードされてテレビ５に供給される。これにより、プレーヤ６で再生要求された画像情報がサーバ１から提供されてテレビ５で視聴することができる。
【００３６】
ここで、サーバ１から提供されてテレビ５で視聴できる画像情報としては、ＳＴＢ２からサーバ１に記録された放送番組の画像情報であることは勿論のこと、レコーダ７のリムーバブルメディアから再生されてサーバ１に記録されて画像情報でもあるし、また、パソコン８から提供されてサーバ１に記録された画像情報でもある。
【００３７】
次に、図１に示すシステムで用いられるサーバ１としての画像処理サーバ装置及びその処理方法の第１の実施形態について説明する。
【００３８】
図４は図１におけるサーバ１としての画像処理サーバ装置及び処理方法の第１の実施形態を示すブロック構成図であって、３０はＣＰＵ、３１はＲＯＭ、３２はＲＡＭ、３３はネットワークＩ／Ｆ、３４はストレージＩ／Ｆ、３５はストレージ（記録装置）である。
【００３９】
同図において、サーバ１は、各部の動作制御を行なうＣＰＵ３０と、ＣＰＵ３０が各部を動作制御するために実行するプログラムが格納されているＲＯＭ３１と、ＣＰＵ３０がＲＯＭ３１でプログラムを実行するために用いられるＲＡＭ３２と、ネットワーク９（図１）に接続され、ネットワーク９との間で情報のやり取りをするネットワークＩ／Ｆ３３と、画像情報を記録して保存するストレージ３５と、ストーレッジ３５での画像情報の記録再生を行なうためのストレージＩ／Ｆ３４とから構成されている。
【００４０】
サーバ１では、ＳＴＢ２（図１）からネットワーク９を介して画像情報の録画要求があると、ＣＰＵ３０の制御のもとに、この録画要求と録画する画像情報がネットワークＩ／Ｆ３３で受信され、受信された画像情報がストレージＩ／Ｆ３４によってストレージ３５に記録（録画）される。レコーダ７やパソコン８などから録画要求があった場合も、同様である。
【００４１】
また、ＳＴＢ２やプレーヤ６（図１）からネットワーク９を介して指定される所望の画像情報の再生要求があると、ＣＰＵ３０の制御のもとに、この再生要求がネットワークＩ／Ｆ３３で受信され、受信された再生要求で指定される画像情報がストレージＩ／Ｆ３４によってストレージ３５から再生される。この再生された画像情報はストレージＩ／Ｆ３４を介して読み取られ、ネットワークＩ／Ｆ３３からネットワーク９を介して再生要求があったＳＴＢ２またはプレーヤ６に供給される。レコーダ７やパソコン８などから再生要求があった場合も、同様である。
【００４２】
図５は図１に示すサーバ１としての画像処理サーバ装置の第１の実施形態での内部処理システムの一具体例を示すブロック構成図であって、４０は録画データ、４１は番組情報データベース、４２は要求判定処理ユニット、４３は録画処理ユニット、４４は番組データベース取得受付処理ユニット、４５は再生処理ユニットであり、図４に対応する部分には同一符号をつけて重複する説明を省略する。
【００４３】
同図において、要求判定処理ユニット４２，録画処理ユニット４３，番組データベース取得受付処理ユニット４４，再生処理ユニット４５などはハードウェア処理部であり、集積回路化されるなどしてハードウェアで実現できる。
【００４４】
一方、ＲＡＭ３２に格納された要求判定処理プログラム，録画処理プログラム，番組データベース取得受付処理プログラム，再生処理プログラムなど各種のプログラムをＲＡＭ３２に格納し、これらプログラムをＣＰＵ３０で実行することにより、要求判定処理，録画処理，番組データベース取得受付処理，再生処理などの各処理を行なうようにして、要求判定処理ユニット４２，録画処理ユニット４３，番組データベース取得受付処理ユニット４４，再生処理ユニット４５などをソフトウェアで実現することもできる。
【００４５】
サーバ１では、ＣＰＵ３０（図４）による処理として、要求判定処理ユニット４２，録画処理ユニット４３，番組データベース取得受付処理ユニット４４及び再生処理ユニット４５を備えたものである。また、ストレージ３５には、録画要求があった放送番組の画像情報などが録画データ４０として記録され、また、録画データ毎にその番組関連情報を表わす番組情報データベース４１が記録されている。
【００４６】
ネットワーク９を介した録画または再生などの要求情報がネットワークＩ／Ｆ３３で受信されると、要求判定処理ユニット４２がこの要求情報を処理してこれが画像情報の録画を要求するものか、ストレージ３５の番組情報データベース４１を要求するものであるか、録画データ４０の再生を要求するものかを判定し、録画を要求するものであるときには、これを録画処理ユニット４３に通知する。
【００４７】
これにより、録画処理ユニット４３が起動し、ネットワーク９を介してネットワークＩ／Ｆ３３で受信された画像情報をストレージＩ／Ｆ３４を介して、録画データ４０としてストレージ３５に記録する。この際、録画処理ユニット４３はストレージ３５での番組情報データベース４１を読み取り、新たに記録した録画データに関して更新してストレージ３５に記録する。これにより、番組情報データベース４１では、常にストレージ３５に記録されている録画データ４０全てに関する番組関連情報が登録されている。
【００４８】
なお、この番組関連情報は、例えば、ＥＰＧ（電子番組表）などから得られるものであり、ＳＴＢ２などがサーバ１に番組の画像情報を供給して記録させる場合には、まず、この画像情報の番組関連情報がサーバ１に供給され、これに付随して画像情報がサーバ１に送られる。レコーダ７やパソコン８などから画像情報をサーバ１で記録する場合も、同様であって、画像情報の関連情報が番組関連情報として作成されており、これが画像情報とともにサーバ１に送られる。
【００４９】
また、番組情報データベース４１では、ストレージ３５での録画データ４０に対する空き容量も登録されており、録画処理ユニット４３が新たな録画データ４０を記録する毎に、ストレージ３５での録画データ４０に対する空き容量を求めて番組情報データベース４１をも更新する。
【００５０】
なお、図５では、図示を省略しているが、ストレージ３５に記録された録画データ４０を選択して削除する録画データ削除ユニットも設けられており、ＳＴＢ２などの録画指示機能を有する端末機器で指定される録画データの削除要求があると、録画データ削除ユニットがストレージ３５内のこの指定される録画データを削除する。このことは、他の実施形態においても、同様である。
【００５１】
図６は番組情報データベース４１の一具体例を示す図であって、４１ａはＩＤ（識別）番号、４１ｂは録画タイトル名、４１ｃは録画ファイル名、４１ｄはサムネイルの有無、４１ｅはフォーマット情報である。
【００５２】
同図において、番組情報データベース４１では、録画データ４０毎に、録画データ４０に録画順に割り当てられるＩＤ番号４１ａと、録画データ４０の番組のタイトルを表わす録画タイトル名４１ｂと、録画データに割り当てられたファイルを表わす録画ファイル名４１ｃと、サムネイルが存在する録画データに対しては“１”が設定され、サムネイルが存在しない録画データに対しては“０”が設定されたサムネイルの有無４１ｄと、「MPEG」や「JPEG」などの録画データのフォーマット情報４１ｅとが登録される。録画データがこのようなフォーマット化されていない場合には、フォーマット情報４１ｅは「Unknown」が登録されるか、あるいは空き欄とする。
【００５３】
但し、「１」のＩＤ番号４１ａはストレージ３５での録画データ４０に対する空き容量情報に割り当てられており、このＩＤ番号４１ａが「１」の空き容量情報に対しては、録画タイトル名４１ｂのみが現在の空き容量が、例えば、図示するように、「空き容量：９Ｇ」として設定され、これ以外の録画ファイル名４１ｃ，サムネイルの有無４１ｄ及びフォーマット情報４１ｅは設定されない。即ち、録画ファイル名４１ｃは空きとし、サムネイルの有無４１ｄは「０」とし、フォーマット情報４１ｅは「Unknown（未定義）」とされる。これら録画ファイル名４１ｃ，サムネイルの有無４１ｄ及びフォーマット情報４１ｅを全て空き欄としてもよい。
【００５４】
サーバ１のＣＰＵ３０もしくは録画処理ユニット４３は、ストレージＩ／Ｆ３４を介して、ストレージ３６にアクセスする。ＣＰＵ３０はストレージ３６の空き容量情報を取得し、取得した空き容量情報Ｘを、ＩＤ番号４１ａが「１」の録画タイトル名４１ｂの部分に、「空き容量：ＸＧ」として書き込む。
【００５５】
また、録画処理ユニット４３（図５）で新たな番組の画像情報を新たな録画データとしてストレージ３５に記録するときには、この新たな録画データに番組情報データベース４１に現在登録されている最後のＩＤ番号４１ａの次のＩＤ番号が割り当てられ、このＩＤ番号とともに番組関連情報が番組情報データベース４１が追加登録され、これとともに、ＩＤ番号４１ａが「１」で録画タイトル名４１ｂ、即ち、空き容量情報が更新される。
【００５６】
なお、ストレージ３５では、レコーダ７やパソコン８などからの画像情報も、録画データ４０として、ストレージ３５に記録保持されるものであり、これに伴って、かかる録画データ４０にＩＤ番号４１ａが割り当てられ、その番組関連情報とともに番組情報データベース４１に登録される。図６に示す具体例では、例えば、ＩＤ番号４１ａが「９」，「１０」の録画データ（写真００１，００２）がレコーダ７やパソコン８などからの静止画データである。
【００５７】
図５に戻って、要求判定処理ユニット４２は、要求情報が番組情報データベースを要求するものであることが判定すると、これを番組データベース取得受付処理ユニット４４に通知する。番組データベース取得受付処理ユニット４４は、この通知を受けると、ストレージ３５から図６に示す番組情報データベース４１を読み取り、ネットワークＩ／Ｆ３３からネットワーク９を介して再生要求があったＳＴＢ２やプレーヤ６に送信する。かかる番組情報データベース４１は、ＳＴＢ２やプレーヤ６で受信されることによってテレビ４やテレビ５で表示され、これにより、ユーザが再生を希望する録画データを選択することができ、また、ストレージ３５での録画データ４０に対する空き容量を確認することができる。
【００５８】
また、ＳＴＢ２やプレーヤ６で番組情報データベース４１から所望の録画データ４０を指定してそのＩＤ番号４１ａ（図６）、あるいは、ＩＤ番号４１ａと録画ファイル名４１ｃ（図６）などによって再生が要求されると、要求判定処理ユニット４２は要求情報が録画データの再生を要求するものと判定し、これを、ＩＤ番号４１ａ、あるいは、ＩＤ番号４１ａや録画ファイル名４１ｃなどとともに、再生処理ユニット４５に通知する。再生処理ユニット４５は、この通知に基づいて、ＩＤ番号４１ａ、あるいは、ＩＤ番号４１ａや録画ファイル名４１ｃなどをもとにストレージ３５から要求される録画データ４０を再生し、ネットワークＩ／Ｆ３３からネットワーク９を介して要求があったＳＴＢ２やプレーヤ６などに供給する。これにより、テレビ４やテレビ５などでこの録画データ４０が画像情報として表示され、ユーザはこれを視聴することができる。
【００５９】
図７は図５における要求判定処理ユニット４２の判定処理動作の一具体例を示すフローチャートである。
【００６０】
同図において、要求判定処理ユニット４２は、ＳＴＢ２やプレーヤ６などからの要求情報を取得すると、その判定処理を開始し（ステップＳ１００）、この要求情報が画像情報の録画を要求するものであるか、ストレッジ３５の番組情報データベースを要求するものであるか、ストレッジ３５の所定の録画データの再生を要求するものであるかを判定処理する（ステップＳ１０１）。
【００６１】
その判定処理の結果、要求情報が画像情報の録画を要求するものであるときには、録画処理ユニット４３にその旨を通知してそれを起動させ（ステップＳ１０２）、ストレッジ３５の番組情報データベースを要求するものであるときには、番組情報データベース取得受付処理ユニット４４にその旨を通知してそれを起動させ（ステップＳ１０３）、ストレージ３５の所定の録画データの再生を要求するものであるときには、再生処理ユニット４５にその旨を通知してそれを起動させる（ステップＳ１０４）。このようにして、録画処理ユニット４３，番組情報データベース取得受付処理ユニット４４，再生処理ユニット４５のいずれかを起動させると、要求判定処理ユニット４２の判定処理は終了する（ステップＳ１０５）。
【００６２】
図８は図５における録画処理ユニット４３の録画処理動作の一具体例を示すフローチャートである。
【００６３】
同図において、録画処理ユニット４３は、要求判定処理ユニット４２から録画の要求があったことが通知されると、録画処理動作を開始し（ステップＳ１１０）、録画要求をしたＳＴＢ２（図１）からの録画要求される番組に関連する番組関連情報を取得し（ステップＳ１１１）、次いで、ストレージ３５から番組情報データベース４１を取得して（ステップＳ１１２）、夫々をＲＡＭ３２（図４）に保存する。
【００６４】
そして、録画要求したＳＴＢ２から録画要求される画像情報のストリームを取得し（ステップＳ１１３）、これにＩＤ番号４１ａを割り当ててストリーム３５に録画データ４０としてストレージ３５の空いている録画ファイルに記録する。これとともに、ＲＡＭ３２に保存されているこの画像情報の番組関連情報にも、同じＩＤ番号を割り当てる（ステップＳ１１４）。そして、かかる記録動作がこの録画データ４０のストリームの終端まで行なわれ（ステップＳ１１５の“ＮＯ”）、このストリームの終端に達すると（ステップＳ１１５の“ＹＥＳ”）、この録画データ４０のストレージ３５への記録処理が終了する（ステップＳ１１６）。
【００６５】
次いで、録画処理ユニット４３は、新たに録画されたこの録画データのストレージ３５への転送時に計測した転送レート（ビットレート）と転送時間とからこの録画データの記録容量Ｙを求める。録画処理ユニット４３は、ＲＡＭ３２に保存されている番組情報データベース４１での「１」のＩＤ番号４１ａの「録画タイトル名」４２ｂから空き容量情報Ｘを取得する。図６の例では、空き容量として、「９Ｇ」を取得している。
【００６６】
録画処理ユニット４３は、取得したこの空き容量情報Ｘからこの録画データの記録容量Ｙを引き算し、この計算結果の値を、新たな空き容量情報として、番組情報データベース４１での「１」のＩＤ番号４１ａの「録画タイトル名」４２ｂの欄に「空き容量：Ｘ−ＹＧ」を書き込み、設定する（ステップＳ１１７）。
【００６７】
または、録画処理ユニット４３は、録画処理が終了した後に、ストレージ３５にアクセスし、ストレージ３５の空き容量Ｚを求め、番組情報データベース４１での「１」のＩＤ番号４１ａの「録画タイトル名」４１ｂの欄に「空き容量：ＺＧ」を書き込み、設定する（ステップＳ１１７）。
【００６８】
さらに、この番組情報データベース４１に新たに記録された録画データ４０の番組関連情報（録画タイトル名４１ｂやサムネイルの有無４１ｄ，フォーマット情報４１ｅ）を番組情報データベース４１でのこの録画データ４０に割り当てられたＩＤ番号に該当する場所に追加するとともに、この録画データ４０が記録された録画ファイルのファイル名４１ｃを登録する。このようにして、ＲＡＭ３２に保持されている番組情報データベース４１が更新され、この更新された番組情報データベース４１が、ストレージ３５において、これまで記録されている番組情報データベース４１に変わって記録される（ステップＳ１１８）。
【００６９】
以上により、新たな録画データ４０がストレージ３５に記録されるとともに、ストレージ３５での番組情報データベース４１が更新され、録画処理ユニット４３の録画処理動作が終了する（ステップＳ１１９）。
【００７０】
図９は図５における番組情報データベース取得受付処理ユニット４４の処理動作の一具体例を示すフローチャートである。
【００７１】
同図において、番組情報データベース取得受付処理ユニット４４は、要求判定処理ユニット４２からストレージ３５に記録されている番組情報データベース４１の要求があったことが通知されると、番組情報データベース取得受付処理を開始し（ステップＳ１２０）、ストレージ３５から番組情報データベース４１を取得して（ステップＳ１２１）、要求があったＳＴＢ２やプレーヤ６にこれを送信する（ステップＳ１１２）、これにより、番組情報データベース取得受付処理ユニット４４の処理動作を終了する（ステップＳ１２３）。
【００７２】
以上のように、サーバ１から送信された画像情報データベース４１は、これの要求があったＳＴＢ２、もしくはプレーヤ６で受信される。ここで、図２に示すＳＴＢ２について説明すると、このＳＴＢ２では、この画像情報データベース４１がネットワーク９を介してネットワークＩ／Ｆ１６で受信され、ＲＡＭ１３に格納されてＣＰＵ１１で処理され、録画データリスト画面が作成される。この録画データリスト画面は、デコーダ１４で処理されずにテレビ４に供給されて表示される。なお、図５における番組情報データベース取得受付処理ユニット４４でストレージ３５から読み出された番組情報データベース４１が処理されて録画データリスト画面が作成され、これをＳＴＢ２やプレーヤ６などに送信するようにしてもよい。
【００７３】
図１０は図６に示す番組情報データベース４１を基に作成されてＳＴＢ２やプレーヤ６によってテレビ４，５で表示される録画データリスト画面の一具体例を示す図であって、５０はこの録画データリスト画面、５１は空き容量欄，５２，５２ａ，５２ｂは録画データ欄、５３はスクロールバーである。
【００７４】
同図において、この録画データリスト画面５０では、縦横に複数個ずつ情報欄５１，５２が配列されており、番組情報データベース４１のＩＤ番号４１ａ順に左上角の情報欄５１から右下角の録画データ欄５２へと番組関連情報が配列されて表示される。
【００７５】
ここで、録画データ欄５２では、サムネイルが設けられている（即ち、番組情報データベース４１でサムネイルの有無４１ｄが「１」の）録画データ４０に対して、このサムネイルが表示される。録画データ欄５２ｂはサムネイルが表示される録画データ欄である。また、サムネイルが設けられていない（即ち、番組情報データベース４１でサムネイルの有無４１ｄが「０」の）録画データ欄５２には、録画タイトル名４１ｂ（図６）が表示される。録画データ欄５２ａはタイトル名が表示される録画データ欄である。
【００７６】
図６でのＩＤ番号４１ｂが「１」の部分はサムネイルが無く、従って、録画タイトル名４１ｂが表示されるが、この部分には、図８で示した通り、「空き容量：９Ｇ」が書き込まれているため、図１０での左上角の録画データ欄５１には、番組情報データベース４１でのＩＤ番号４１ａが「１」の「空き容量：９Ｇ」が表示される。
【００７７】
この録画データリスト画面５０には、図示しないが、カーソルも表示されており、ＳＴＢ２やプレーヤ６でユーザがリモコン操作することにより、このカーソルを操作することができ、これにより、所望とする録画データの録画データ欄５２を選択操作することができて、ストレージ３５に記録させている録画データ４０のうちの所望の録画データ４０の再生を要求することができる。
【００７８】
なお、録画データリスト画面５０でストレージ３５に記録させている全ての録画データ４０に対して録画データ欄５２が同時に表示できないときには、スクロールバー５３が表示され、リモコンによるカーソル操作により、録画データリスト画面５０を上下方向にスクロールさせることができる。
【００７９】
このように、テレビ４やテレビ５では、ストレージ３５に記録されている録画データ４０のリストが表示され、これによってストレージ３５に記録されている録画データ４０を確認することができて、そのいずれかの再生要求をすることができるとともに、空き容量欄５１により、ストレージ３５の空き容量を確認することもできる。
【００８０】
図１１は図５における再生処理ユニット４５の処理動作の一具体例を示すフローチャートである。
【００８１】
同図において、再生処理ユニット４５は、要求判定処理ユニット４２からストレージ３５に記録されている録画データ４０の再生要求があったことが通知されると、再生処理動作を開始し（ステップＳ１３０）、ＳＴＢ２やプレーヤ６などからの再生要求情報から再生が要求される録画データのＩＤ番号４１ａや録画ファイル名４１ｃを取得し、あるいは再生要求情報が再生が要求される録画データのＩＤ番号４１ａのみを有する場合には、このＩＤ番号４１ａを取得するとともに、ストレージ３５から番組情報データベース４１を取得してこのＩＤ番号４１ａに該当する録画ファイル名４１ｃを取得する（ステップＳ１３１）。
【００８２】
そして、これらＩＤ番号４１ａと録画ファイル名４１ｃとを基に、ストレージ３５で再生要求があった録画データ４０を検索し、その読み込み処理（再生処理）を行ない（ステップＳ１３２）、この録画データのストリームを再生要求があったＳＴＢ２やプレーヤ６に送信する。かかる録画データの再生処理はこの録画データが読み込みし終わるまで行なわれ（ステップＳ１３４の“ＮＯ”）、その読み込みが終了すると、即ち、この録画データ全体が読み込まれると（ステップＳ１３４の“ＹＥＳ”）、この再生が要求された録画データの読み込みが終了し（ステップＳ１３５）、再生処理ユニット４５の再生処理動作を終了する（ステップＳ１３６）。
【００８３】
なお、以上の録画処理動作や番組情報データベース取得受付処理動作，再生処理動作は、パソコン８（図１）などの他の端末機器からの要求に対しても、同様に実行されるものである。また、レコーダ７に対しては、ＳＴＢ２やプレーヤ６での操作によって行なわれるものである。
【００８４】
以上のように、第１の実施形態では、ＳＴＢ２やプレーヤ６でストレージ３５に記録されている番組情報データベース４１を取得し、これをテレビ４，５で録画データリスト画面５０（図１０）として表示させることができるものであって、この録画データリスト画面５０で同時に録画データに対するストレージ３５の空き容量を表示させることができる。この場合、番組情報データベース４１はストレージ３５で作成され、この際、サーバ１では、ストレージ３５の空き容量情報も取得して番組情報データベース４１に付加する処理が行なわれるものであるから、ＳＴＢ２やプレーヤ６としては、ストレージ３５での録画データの確認のために番組情報データベース４１の取得要求をするだけで、ストレージ３５の空き容量の情報も同時に取得して録画データの一覧（録画データリスト画面５０）に表示させることができ、ＳＴＢ２やプレーヤ６としては、録画データの一覧を取得して表示させるといった基本的な機能しか必要とせずに、サーバ１のストレージ３５の空き容量を確認することが可能となる。
【００８５】
また、空き容量を表示することにより、空き容量が不足した場合の削除すべき録画データの選択などの処置を直ちに行なうことができるし、また、空き容量の不足による録画及び録画予約の失敗を未然に防ぐことができ、ユーザの利便性を高めることができる。
【００８６】
なお、録画データリスト画面５０（図１０）において、ストレージ３５の空き容量情報を空き容量欄５１で、例えば、「空き容量：９Ｇ」のように、直接空き容量を文字表示するものとしたが、空き容量の大きさに応じて、空き容量欄５１で表示される文字の色や大きさを変化させ、ＳＴＢ２やプレーヤ６のユーザに注意を促すようにしてもよい。
【００８７】
《第２の実施形態》
図１２は図１におけるサーバ１としての画像処理サーバ装置及び処理方法の第２の実施形態での図５における録画処理ユニット４３の録画処理動作の一具体例を示すフローチャートである。
【００８８】
この第２の実施形態も、先の第１の実施形態と同様の構成をなすものであるが、この第２の実施形態での録画処理ユニット４３（図５）の録画処理動作の一具体例としては、図１２に示すように、図８に示す第１の実施形態での録画処理ユニット４３の録画処理動作に、ステップＳ１１７で取得したストレージ３５の空き容量の詳細情報を録画処理ユニット４３で処理してそのストリームを作成処理するステップＳ１４０を追加し、この空き容量詳細情報のストリームをＲＡＭ３２に格納されているストレージ３５の番組情報データベース４１に登録するものである。
【００８９】
以下、図８に示すフローチャートの重複するステップも含めて、この第２の実施形態での録画処理ユニット４３の録画処理動作を図１２により説明する。
【００９０】
録画処理ユニット４３（図５）は、要求判定処理ユニット４２（図５）から録画の要求があったことが通知されると、録画処理動作を開始し（ステップＳ１１０）、録画要求をした、例えば、ＳＴＢ２（図１）からの録画要求される番組に関連する番組関連情報を取得し（ステップＳ１１１）、次いで、ストレージ３５から番組情報データベース４１を取得して（ステップＳ１１２）、夫々をＲＡＭ３２（図４）に保存する。
【００９１】
そして、録画要求したＳＴＢ２から録画要求される画像情報のストリームを取得し（ステップＳ１１３）、これにＩＤ番号４１ａを割り当てて、録画データ４０として、ストレージ３５の空いている録画ファイルに記録する。これとともに、ＲＡＭ３２に保存されているこの画像情報の番組関連情報にも、同じＩＤ番号を割り当てる（ステップＳ１１４）。そして、かかる記録動作がこの録画データ４０のストリームの終端まで行なわれ（ステップＳ１１５の“ＮＯ”）、このストリームの終端に達すると（ステップＳ１１５の“ＹＥＳ”）、この録画データ４０のストレージ３５への記録処理が終了する（ステップＳ１１６）。
【００９２】
次いで、録画処理ユニット４３は、新たに録画されたこの録画データ４０のストレージ３５への転送時に計測した転送レート（ビットレート）と転送時間とからこの録画データの記録容量Ｙを求める。録画処理ユニット４３は、ＲＡＭ３２に保存されている番組情報データベース４１での「１」のＩＤ番号４１ａの「録画タイトル名」４２ｂから空き容量情報Ｘを取得する。図１３に示す例では、空き容量として、「９Ｇ」を取得している。
【００９３】
録画処理ユニット４３は、取得した個の空き容量情報Ｘからこの録画データの記録容量Ｙを引き算し、その計算結果の値を、新たな空き容量情報として、番組データベース４１での「１」のＩＤ番号４１ａの「録画タイトル名」４２ｂの欄に「空き容量：Ｘ−ＹＧ」を書き込み、設定する（ステップＳ１１７）。
【００９４】
または、録画処理ユニット４３は、録画処理が終了した後に、ストレージ３５にアクセスし、ストレージ３５の空き容量Ｚを求め、番組情報データベース４１での「１」のＩＤ番号４１ａの「録画タイトル名」４１ｂの欄に「空き容量：ＺＧ」を書き込み、設定する（ステップＳ１１７）。
【００９５】
また、録画処理ユニット４３は、この空き容量に関する情報（空き容量情報）を作成するとともに、それを所定のフォーマットのストリーム（例えば、録画データ４０と同じＭＰＥＧ形式のストリーム）を作成し、ストレージ３５の予め決められた所定のファイル（録画ファイル名４１ｃ＝「Available.mpg」（図１３））に空き容量情報として格納される。これにより、番組情報データベース４１での「１」のＩＤ番号４１ａの「録画タイトル名」４２ｂが更新される（ステップＳ１４０）。
【００９６】
これとともに、ＲＡＭ３２（図４）に格納されている番組情報データベース４１でのＩＤ番号４１ａの空き容量情報の更新が行なわれ、また、この番組情報データベース４１に新たに記録された録画データ４０の番組関連情報（録画タイトル名４１ｂやサムネイルの有無４１ｄ，フォーマット情報４１ｅ）を番組情報データベース４１でのこの録画データ４０に割り当てられたＩＤ番号４１ａに該当する場所に追加するとともに、この録画データ４０が記録された録画ファイルのファイル名４１ｃを登録する。このようにして、ＲＡＭ３２に保持されている番組情報データベース４１が更新され、この更新された番組情報データベース４１が、ストレージ３５において、これまで記録されている番組情報データベース４１に変わって記録される（ステップＳ１１８）。
【００９７】
以上により、新たな録画データ４０がストレージ３５に記録されるとともに、ストレージ３５での番組情報データベース４１が更新され、録画処理ユニット４３の録画処理動作が終了する（ステップＳ１１９）。
【００９８】
図１３はこのようにして作成された図５における番組情報データベース４１の一具体例を示す図であって、図６に対応する部分には同一符号をつけて重複する説明を省略する。
【００９９】
同図において、この第２の実施形態においても、番組情報データベース４１は、図６に示す第１の実施形態での番組情報データベース４１と同様であって、ＩＤ番号４１ａ，録画タイトル名４１ｂ，録画ファイル名４１ｃ，サムネイルの有無４１ｄ，フォーマット情報４１ｅとからなるものであるが、ＩＤ番号４１ａが「１」の空き容量に関しては、空き容量詳細情報ストリームがフォーマット化されてストレージ３５の予め決められた所定のファイルに格納されたことから、録画ファイル名４１ｃにこの空き容量詳細情報ストリームが格納されているファイルのファイル名が、例えば、「Avaiiable.mpg」として、登録され、かつ空き容量詳細情報ストリームのフォーマット形式がＭＰＥＧとすると、フォーマット情報４１ｅとして、「ＭＰＥＧ」が登録される。
【０１００】
この第２の実施形態においても、要求判定処理ユニット４２からストレージ３５に記録されている番組情報データベース４１の要求があったことが番組情報データベース取得受付処理ユニット４４に通知されると、番組情報データベース取得受付処理ユニット４４は、図９に示す番組情報データベース取得受付処理を行ない、ストレージ３５から番組情報データベース４１を取得するとともに、この番組情報データベース４１のＩＤ番号４１ａに対する録画ファイル名４１ｃのファイルに記録されている空き容量詳細情報ストリームを取得し、これら番組情報データベース４１と空き容量詳細情報ストリームとを要求があったＳＴＢ２やプレーヤ６にこれを送信する。
【０１０１】
この場合、ＳＴＢ２から要求があったものとすると、このＳＴＢ２は、図２において、これら番組情報データベース４１と空き容量詳細情報ストリームとをネットワークＩ／Ｆ１６で受信し、ＲＡＭ１３に格納する。そして、ＣＰＵ１１はＲＡＭ１３から番組情報データベース４１を読み取って処理し、録画データリスト画面を作成してテレビ４に供給する。これにより、テレビ４では、図１０に示すように、録画データリスト画面５０が表示される。
【０１０２】
ここで、この録画データリスト画面５０では、空き容量欄５１も、リモコンによるカーソル操作により、選択可能であり、ユーザがリモコン操作でこの空き容量欄５１を選択すると、ＳＴＢ２のＲＡＭ１３から先に記録された空き容量詳細情報ストリームが読み出され、デコーダ１４でデコードされた後、テレビ４に供給される。これにより、テレビ４では、空き容量詳細情報が表示される。
【０１０３】
図１４はかかる空き容量情報が表示される空き容量詳細情報画面の一具体例を示す図であって、６０は空き容量詳細情報画面、６１は空き容量表示エリア、６２は空き容量情報表示エリア、６３は使用状況表示エリアである。
【０１０４】
同図において、空き容量詳細情報画面６０では、ストレージ３５（図５）での録画データ４０に対する空き容量を表示する空き容量表示エリア６１と、録画データ４０が記録できる量を時間で表わしている空き容量情報表示エリア６２と、ストレージ３５の使用状況を示す使用状況表示エリア６３とが設けられている。
【０１０５】
空き容量表示エリア６１では、録画データ４０に対する空き容量が、「空き容量：９Ｇ」といったように、番組情報データベース４１のＩＤ番号４１ａでの録画タイトル名４１ｂと同様の内容で表示され、空き容量情報表示エリア６２には、録画データを圧縮処理しないでそのまま（即ち、オリジナル録画モード）で記録する場合のストレージ３５で記録可能な時間（オリジナル録画モード記録時間）と、録画データを第１の圧縮方式（例えば、ＭＰＥＧ）で圧縮処理して（即ち、圧縮録画モード１）で記録する場合のストレージ３５で記録可能な時間（圧縮録画モード１記録時間）と、録画データを第２の圧縮方式（例えば、ＪＰＥＧ）で圧縮処理して（即ち、圧縮録画モード２）で記録する場合のストレージ３５で記録可能な時間（圧縮録画モード２記録時間）とが表示される。
【０１０６】
また、使用状況表示エリア６３では、ストレージ３５での録画データに対する全記録容量に対する現在使用されている容量の割合が、例えば、「９１％」といったようなパーセンテージで表示されるとともに、棒グラフなどでグラフ表示される。
【０１０７】
なお、ここでは、空き容量詳細情報画面６０としては、１つの静止画画面としているが（この場合には、空き容量詳細情報は、ＪＰＥＧ形式に圧縮処理されている）、空き容量詳細情報を、各録画モード毎のストレージ３５の使用状況などさらに多くの内容を持つ情報として、動画情報とすることが可能であり、この場合には、空き容量詳細情報はＭＰＥＧ形式に圧縮処理されたものとすることができるし、空き容量詳細情報画面６０は動画画面として表示されることになる。
【０１０８】
また、空き容量を表示することにより、空き容量が不足した場合の削除すべき録画データの選択などの処置を直ちに行なうことができるし、また、空き容量の不足による録画及び録画予約の失敗を未然に防ぐことができ、ユーザの利便性を高めることができる。
【０１０９】
また、以上では、空き容量詳細情報ストリームが番組情報データベース４１とともにＳＴＢ２などに送信されるものとしたが、録画データリスト画面５０で空き容量欄５１が選択されるとともに、サーバ１での番組情報データベース取得受付処理ユニット４４がストレージ３５から空き容量詳細情報ストリームを読み取り、これを要求があったＳＴＢ２などに送信するようにしてもよい。
【０１１０】
さらに、ＳＴＢ２を例にして説明したが、プレーヤ６などについても、同様である。
【０１１１】
この第２の実施形態では、先の第１の実施形態と同様の効果が得られるとともに、空き容量詳細情報により、ストレージ３５の状況をより詳細に把握することが可能となる。
【０１１２】
《第３の実施形態》
図１５は図１に示すサーバ１としての画像処理サーバ装置の第３の実施形態での内部処理システムの一具体例を示すブロック構成図であって、４１1は番組情報データベースＡ、４１2は番組情報データベースＢ、４３ａは録画処理部、４４ａは番組データベース取得受付処理部、再生処理ユニット４５ａ、７０は端末データベース作成処理部、７１は端末データベースであり、図５に対応する部分には同一符号をつけて重複する説明を省略する。
【０１１３】
同図において、この第３の実施形態では、図１におけるサーバ１の内部処理システムでは、図５に示す第１，第２の実施形態での内部処理システムに対し、端末データベース作成処理部７０が追加されたものであり、また、ストレージ３５には、番組情報データベース４１として、２種類の番組情報データベース４１1，４１2が記録されている。また、録画処理ユニット４３ａと番組データベース取得受付処理ユニット４４ａと再生処理ユニット４５ａは、図５における録画処理ユニット４３と番組データベース取得受付処理ユニット４４と再生処理ユニット４５と処理が一部異なるものである。
【０１１４】
ストレージ３５には、ＳＴＢ２などの録画指示機能を有する端末機器に対する番組情報データベース４１1とプレーヤ６などの録画指示機能を有しない端末機器に対する番組情報データベース４１2との２種類の番組情報データベース４１が記録されており、また、ＳＴＢ２やプレーヤ６などのサーバ１との通信を行なう端末機器（端末）を登録した端末データベース７１もストレージ３５に記録されている。
【０１１５】
端末データベース７１は、登録される端末機器毎に、サーバ１への録画指示機能を有するか否かを表わす情報が付加されており、かかる情報としては、例えば、録画指示機能を有する端末機器に対しては、「１」のフラグか付加され、録画指示機能を有しない端末機器に対しては、「０」のフラグか付加されている。かかる端末データベース７１は端末データベース作成処理部７０で作成されるものである。
【０１１６】
また、要求判定処理ユニット４２が番組情報データベース４１の要求があったことを番組情報データベース取得受付処理ユニット４４ａに通知すると、番組情報データベース取得受付処理ユニット４４ａは、端末データベース７１をもとに、この要求した端末機器が録画指示機能を有するものであるか否かを判定し、録画指示機能を有する端末機器であれば、ストレージ３５から番組情報データベース４１1を読み出してこの端末機器に送信（提供）し、録画指示機能を有しない端末機器であれば、ストレージ３５から番組情報データベース４１2を読み出してこの端末機器に送信（提供）する。
【０１１７】
図１６は図１５における番組情報データベース４１1の一具体例を示す図であって、図６に対応する部分には同一符号をつけている。
【０１１８】
同図において、この番組情報データベース４１1は、図６に示す番組情報データベース４１と同様のものであって、ＩＤ番号４１ａはストレージ３５の空き容量に関するものである。即ち、この番組情報データベース４１1には、ストレージ３５の空き容量に関する情報が含まれており、ＳＴＢ２などの録画指示機能を有する端末機器で有効に利用されることになる。
【０１１９】
図１７は図１５における番組情報データベース４１2の一具体例を示す図であって、図６に対応する部分には同一符号をつけている。
【０１２０】
同図において、この番組情報データベース４１2は、ストレージ３５の空き容量に関する情報が登録されていないものであって、「１」のＩＤ番号４１ａから順に録画データ４０の番組関連情報が登録される。
【０１２１】
従って、この番組情報データベース４１1，４１2では、同じ録画データ４０の番組関連情報が登録されるが、これら番組情報データベース４１1，４１2間では、同じ録画データ４０に対するＩＤ番号４１ａが値１だけ異なっている。しかし、番組情報データベース４１1，４１2での同じ録画データ４０に対する録画タイトル名４１ｂ，録画ファイル名４１ｃ，サムネイルの有無４１ｄ及びフォーマット情報４１ｅは同じである。
【０１２２】
図１５に戻って、また、録画処理ユニット４３ａは、図５における録画処理ユニット４３と同様、新たに録画要求があった画像情報を、録画データ４０として、ストレージ３５の指定したファイルに記録するものであるが、これとともに、ストレージ３５から番組情報データベース４１1，４１2を読み取り、この新たに記録される録画データに対する番組関連情報を追加登録する更新をし、これらをストレージ３５に記録する。
【０１２３】
さらに、所望の録画データの再生要求する端末機器からの再生要求情報には、この録画データの録画ファイル名４１ｃが付加されており、再生処理ユニット４５ａは、この録画ファイル名４１ｃを基に、ストレージ３５のこの録画ファイル名４１ｃの録画データ４０を再生し、要求のあった端末機器に送信する。なお、端末機器が、再生要求するとき、その再生要求情報に録画指示機能を有するか否かを示す情報も付加することにより、要求判定処理ユニット４２や再生処理ユニット４５ａで再生要求した端末機器が録画指示機能を有するものであるか否かを判別できるものであれば、再生処理ユニット４５ａは、かかる情報を基に、番組情報データベース４１1，４１2のうちのいずれか該当するものを読み取り、これを基に再生要求される録画データの録画ファイルを特定することができるようにしてもよい。
【０１２４】
図１８は図１５における端末データベース作成処理部７０の端末データベース作成処理動作の一具体例を示すフローチャートである。以下、図１５を参照してその動作を説明する。
【０１２５】
同図において、新規に追加された端末機器、例えば、図１におけるＳＴＢ２からサーバ１に登録要求があると、その登録要求情報がネットワーク９を介してネットワークＩ／Ｆ３３で受信され、端末データベース作成処理部７０が処理動作を開始する（ステップＳ１５０）。これにより、端末データベース作成処理部７０は、まず、ストレージ３５から端末データベース７１を取得してＲＡＭ３２（図４）に保存する（ステップＳ１５１）。
【０１２６】
そして、この登録要求があったＳＴＢ２に登録要求を取得したことをネットワークＩ／Ｆ３３からネットワーク９を介して通知することにより、このＳＴＢ２からそれに関する端末情報がネットワーク９を介して送信され、端末データベース作成処理部７０はネットワークＩ／Ｆ３３を介してこの端末情報を取得する（ステップＳ１５２及びステッフＳ１５３の“ＮＯ”）。端末データベース作成処理部７０、このＳＴＢ２の端末情報を受信し終わると（ステップＳ１５３の“ＹＥＳ”）、ＲＡＭ３２に保持されている端末データベース７１を、これに取得したＳＴＢ２の端末情報を追加することにより、更新し（ステップＳ１５４）、この更新した端末データ７１をストレージ３５でこれまで記録されたいた端末データベース７１と書き替えることにより、端末データベース作成処理を終了する（ステップＳ１５５）。
【０１２７】
図１９は図１５における録画処理ユニット４３ａの録画処理動作の一具体例を示すフローチャートである。
【０１２８】
この具体例は、先の第２の実施形態での録画部４３（図５）の図１２に示す録画処理動作と基本的には同じであるが、これと異なるのは、録画データの記録に際して、ストレージ３５に記録されている２つの番組情報データベース４１1，４１2を更新する点である。以下、図１２に示す処理動作と重複する部分も含めて、この具体例の動作を、図１５も参照して、説明する。
【０１２９】
図１９において、録画処理ユニット４３ａは、要求判定処理ユニット４２から録画の要求があったことが通知されると、録画処理動作を開始し（ステップＳ１１０）、録画要求をした、例えば、ＳＴＢ２（図１）からの録画要求される番組に関連する番組関連情報を取得し（ステップＳ１１１）、次いで、ストレージ３５から２つの番組情報データベース４１1，４１2を取得して（ステップＳ１６０）、夫々をＲＡＭ３２（図４）に保存する。
【０１３０】
そして、録画要求したＳＴＢ２から録画要求される画像情報のストリームを取得し（ステップＳ１１３）、録画データ４０として、ストレージ３５の空いている録画ファイルに記録する。これとともに、ＲＡＭ３２に保存されているこの画像情報の番組関連情報に、この録画データ４０が記録された録画ファイルの録画ファイル名４１ｃが付加される（ステップＳ１１４）。そして、かかる記録動作がこの録画データ４０のストリームの最後まで行なわれ（ステップＳ１１５の“ＮＯ”）、このストリームの最後まで記録されると（ステップＳ１１５の“ＹＥＳ”）、この録画データ４０のストレージ３５への記録処理が終了する（ステップＳ１１６）。
【０１３１】
次いで、録画処理ユニット４３ａは、まず、記録した録画データ４０の番組関連情報に、さらに、ＲＡＭ３２に保存されている番組情報データベース４１1に対するＩＤ番号４１ａを付加して、この番組情報データベース４１1のこのＩＤ番号４１ａに該当する箇所にこの番組関連情報を追加登録し、このように追加更新された番組情報データベース４１1をストレージ３５に、これまで記録されていた番組情報データベース４１1に変えて記録される（ステップＳ１６１）。これにより、新たな録画データ４０の追加記録に伴う番組情報データベース４１1の更新が行なわれる。
【０１３２】
また、新たに録画されたこの録画データ４０のストレージ３５への記録時に計測した転送レート（ビットレート）と転送時間とからこの録画データの記録容量Ｙを求める。録画処理ユニット４３ａは、ＲＡＭ３２に保存されている番組情報データベース４１2での「１」のＩＤ番号４１ａの「録画タイトル名」４２ｂから空き容量情報Ｘを取得する。図１７に示す例では、空き容量として、「９Ｇ」を取得している。
【０１３３】
録画処理ユニット４３ａは、取得した個の空き容量情報Ｘからこの録画データの記録容量Ｙを引き算し、その計算結果の値を、新たな空き容量情報として、番組情報データベース４１での「１」のＩＤ番号４１ａの「録画タイトル名」４２ｂの欄に「空き容量Ｘ−ＹＧ」を書き込み、設定する（ステップＳ１１７）。
【０１３４】
または、録画処理ユニット４３は、録画処理が終了した後に、ストレージ３５にアクセスし、ストレージ３５の空き容量Ｚを求め、番組情報データベース４１での「１」のＩＤ番号４１ａの「録画タイトル名」４１ｂの欄に「空き容量：ＺＧ」を書き込み、設定する（ステップＳ１１７）。
【０１３５】
また、録画処理ユニット４３は、この空き容量に関する情報（空き容量情報）を作成するとともに、空き容量に関する詳細な情報を所定のフォーマットのストリーム（例えば、録画データ４０と同じＭＰＥＧ形式のストリーム）を作成し、ストレージ３５の予め決められた所定のファイル（録画ファイル名４１ｃ＝「Available.mpg」（図１７））に空き容量詳細情報ストリームとして格納される（ステップＳ１４０）。
【０１３６】
そして、ＲＡＭ３２（図４）に格納されている番組情報データベース４１2でのＩＤ番号４１ａの録画タイトル名４１ｂが新たな空き容量に関する情報に更新され、さらに、番組情報データベース４１2に対して、この新たに記録された録画データ４０の番組関連情報にＩＤ番号４１ａが割り当てられ、この番組情報データベース４１2での、新たに記録された録画データ４０の番組関連情報（録画タイトル名４１ｂやサムネイルの有無４１ｄ，フォーマット情報４１ｅ）をこれに割り当てられたＩＤ番号４１ａに該当する場所に追加するとともに、この録画データ４０が記録された録画ファイルのファイル名４１ｃを登録する。このようにして、ＲＡＭ３２に保持されている番組情報データベース４１2が更新され、この更新された番組情報データベース４１2が、ストレージ３５において、これまで記録されている番組情報データベース４１2に変わって記録される（ステップＳ１６２）。
【０１３７】
以上により、新たな録画データ４０がストレージ３５に記録されるとともに、ストレージ３５での番組情報データベース４１1，４１2が更新され、録画処理ユニット４３の録画処理動作が終了する（ステップＳ１１９）。
【０１３８】
なお、以上では、番組情報データベース４１2の「１」のＩＤ番号４１ａの空き容量に対して空き容量詳細情報ストリームを作成するものであったが、先の第１の実施形態のように、かかる空き容量詳細情報ストリームを作成しない場合には、図１９でのステップＳ１４０は不要であるし、また、図１７に示す番組情報データベース４１2では、図６に示す番組情報データベース４１のように、録画ファイル名４１ｃは空欄あるいは「Empty」が表示され、フォーマット情報４１ｅ＝「Unknown」が表示されることになる。
【０１３９】
図２０は図１５における番組情報データベース取得受付ユニット４４ａの処理動作の一具体例を示すフローチャートである。
【０１４０】
この具体例は、先の第１の実施形態での番組情報データベース取得受付ユニット４４（図５）の図９に示す番組情報データベース取得受付処理動作と基本的には同じであるが、２つの番組情報データベース４１1，４１2を対象としている点が異なるものである。以下、図９に示す処理動作と重複する部分も含めて、この具体例の動作を、図１５も参照して、説明する。
【０１４１】
図２０において、番組情報データベース取得受付ユニット４４は、要求判定ユニット４２からストレージ３５に記録されている番組情報データベース４１の要求があったことが通知されると、番組情報データベース取得受付処理を開始する（ステップＳ１２０）。そして、まず、ストレージ３５から端末データベース７１を取得し（ステップＳ１７０）、番組情報データベース４１を要求した端末機器が録画指示機能を有する端末であるか否かを判定する（ステップＳ１７１）。
【０１４２】
この判定により、番組情報データベース４１を要求した端末機器が録画指示機能を有しない端末、例えば、プレーヤ６（図１）である場合には、番組情報データベース取得受付ユニット４４ａは、ストレージ３５から図１６に示す番組情報データベース４１1を読み取り（ステップＳ１７２）、これをネットワークＩ／Ｆ３３からネットワーク９を介してプレーヤ６に送信する（ステップＳ１２２）。また、番組情報データベース４１を要求した端末機器が録画指示機能を有する端末、例えば、ＳＴＢ２（図１）である場合には、番組情報データベース取得受付ユニット４４ａは、ストレージ３５から図１７に示す番組情報データベース４１2を読み取り（ステップＳ１７３）、これをネットワークＩ／Ｆ３３からネットワーク９を介してＳＴＢ２に送信する（ステップＳ１２２）。
【０１４３】
そして、以上の送信が終了すると、番組情報データベース取得受付ユニット４４ａの処理動作を終了する（ステップＳ１２３）。
【０１４４】
以上のように、サーバ１から送信された画像情報データベース４１1もしくは４１2は、先の実施形態と同様、これを要求したＳＴＢ２またはプレーヤ６で受信され、テレビ４もしくはテレビ５で録画データリスト画面として表示される。
【０１４５】
図２１は図２０に示す処理によってデレビ５，４に表示される録画データリスト画面の一具体例を示す図であって、５０1，５０2は録画データリスト画面であり、図１０に対応する部分には同一符号をつけて重複する説明を省略する。
【０１４６】
図２１（ａ）は、図２０におけるステップＳ１７２で取得した番組情報データベース４１1を基に、録画指示機能を有しない端末機器、ここでは、プレーヤ６によってテレビ５に表示される録画データリスト画面５０1を示すものであって、この録画データリスト画面５０1では、ストレージ３５（図１５）の空き容量情報は表示されず、録画データ欄５２ａ，５２ｂのみが表示される。従って、このテレビ５では、ストレージ３５の空き容量を確認することができないが、プレーヤ６としては、録画指示機能を有しておらず、プレーヤ６から録画を指示することができないから、ストレージ３５の空き容量はプレーヤ６にとって必要な情報ではない。従って、録画データリスト画面５０1では、このような必要でない情報の表示は省いているのであり、これ故、番組情報データベース４１1では、ストレージ３５の空き容量の登録欄は設けられていない。
【０１４７】
一方、図２１（ｂ）は、図２０におけるステップＳ１７３で取得した番組情報データベース４１2を基に、録画指示機能を有する端末機器、ここでは、ＳＴＢ２によってテレビ４に表示される録画データリスト画面５０2を示すものであって、この録画データリスト画面５０2では、図１０に示す録画データリスト画面５０と同様、左上角に空き容量欄５１が設けられ、これに空き容量情報が表示される。これにより、録画指示機能を有するＳＴＢ２で番組情報データベース４１の要求操作することにより、そのテレビ４でストレージ３５の空き容量を確認することができる。
【０１４８】
また、図１７に示す録画処理で作成される番組情報データベース４１2に対して、ストレージ３５の空き容量詳細情報ストリームが作成されているときには（図１９のステップＳ１４０）、この録画データリスト画面５０2で空き容量欄５１を選択することにより、図１４に示すような空き容量詳細情報画面６０がテレビ４に表示されることになり、ストレージ３５の空き容量の詳細を確認することができる。
【０１４９】
以上のように、この第３の実施形態では、先の実施形態と同様の効果が得られるとともに、端末機器が録画指示機能を備えているか否かに応じて、サーバ１のストレージ３５の空き容量の情報を取得して表示装置に表示させることができ、画像情報のサーバ１への記録に際して、このサーバ１のストレージ３５の空き容量を確認することができる。
【０１５０】
また、空き容量を表示することにより、空き容量が不足した場合の削除すべき録画データの選択などの処置を直ちに行なうことができるし、また、空き容量の不足による録画及び録画予約の失敗を未然に防ぐことができ、ユーザの利便性を高めることができる。
【０１５１】
なお、この第３の実施形態では、サーバ１のストレージ３５での番組情報データベース４１1，４１2を、サーバ１側で番組情報データベース４１を要求した端末機器が録画指示機能を有するか否かに応じて選択するようにしたが、端末機器でのユーザの要求操作により、番組情報データベース４１1，４１2のいずれをも取得できるようにしてもよい。
【０１５２】
以上、本発明の実施形態について説明したが、本発明は、上記の実施形態に限定されるものではなく、様々な変形例が含まれる。例えば、上記の各実施形態は、本発明を分かり易く説明するために、詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の一部について、他の構成の追加・削除・置換をすることも可能である。
【０１５３】
また、上記の各構成，機能などは、これらの一部または全部を、例えば、集積回路で設計するなどにより、ハードウェアで実現してもよい。また、上記の各構成，機能などは、プロセッサが夫々機能を実現するプログラムを解釈，実行することにより、ソフトウェアで実現するようにしてもよい。各機能の実行時には、対応するプログラム．テーブル，ファイルなどの情報はメモリまたはキャッシュメモリに保存しておくことができる。非実行時には、各機能を実現するプログラム，テーブル，ファイルなどの情報は、メモリやハードディスク装置、または、ＩＣカード装置などに保存しておくことができる。
【０１５４】
また、制御線や情報線は、説明上必要と考えられるものを示しており、製品上必ずしも全ての制御線や情報線を示しているとは限らない。実際には、ほとんど全ての構成が相互に接続されていると考えてよい。
【符号の説明】
【０１５５】
１  画像処理サーバ装置
２  ＳＴＢ
３  アンテナ
４，５  テレビ（表示装置）
６  プレーヤ
７  レコーダ
８  パソコン
９  ネットワーク
１０  チューナ
１１  ＣＰＵ
１２  ＲＯＭ
１３  ＲＡＭ
１４  デコーダ
１５  入出力Ｉ／Ｆ
１６  ネットワークＩ／Ｆ
２０  ＣＰＵ
２１  ＲＯＭ
２２  ＲＡＭ
２３  デコーダ
２４  入出力Ｉ／Ｆ
２５  ネットワークＩ／Ｆ
３０  ＣＰＵ
３１  ＲＯＭ
３２  ＲＡＭ
３３  ネットワークＩ／Ｆ
３４  ストレージＩ／Ｆ
３５  ストレージ（記録装置）
４０  録画データ
４１，４１1，４１2  番組情報データベース
４１ａ  ＩＤ（識別）番号
４１ｂ  録画タイトル名
４１ｃ  録画ファイル名
４１ｄ  サムネイルの有無
４１ｅ  フォーマット情報
４２  要求判定処理ユニット
４３，４３ａ  録画処理ユニット
４４，４４ａ  番組データベース取得受付処理ユニット
４５，４５ａ  再生処理ユニット
５０  録画データリスト画面
５１  空き容量欄，５２，５２ａ，５２ｂ  録画データ欄
５３  スクロールバー
６０  空き容量詳細情報画面
６１  空き容量表示エリア
６２  空き容量情報表示エリア
６３  使用状況表示エリア
７０  端末データベース作成処理ユニット
７１  端末データベース
【図１】
2011135472.tif 000003
【図２】
2011135472.tif 000004
【図３】
2011135472.tif 000005
【図４】
2011135472.tif 000006
【図５】
2011135472.tif 000007
【図６】
2011135472.tif 000008
【図７】
2011135472.tif 000009
【図８】
2011135472.tif 000010
【図９】
2011135472.tif 000011
【図１１】
2011135472.tif 000012
【図１２】
2011135472.tif 000013
【図１３】
2011135472.tif 000014
【図１４】
2011135472.tif 000015
【図１５】
2011135472.tif 000016
【図１６】
2011135472.tif 000017
【図１７】
2011135472.tif 000018
【図１８】
2011135472.tif 000019
【図１９】
2011135472.tif 000020
【図２０】
2011135472.tif 000021
【図１０】
2011135472.tif 000022
【図２１】
2011135472.tif 000023